(57)【特許請求の範囲】
【請求項１】
電線を全周方向から覆うカバーであって、
円筒状の本体部と、外径が減少しながら前記本体部に接続するテーパー部と、前記テーパー部に接続する口元部と、前記口元部の最端に開口する口元端部と、を有するカバー本体と、
前記電線の長手方向に添って前記カバー本体の開閉を自在にする開閉手段と、を備え、
前記テーパー部および口元部は、配置される電線の長手方向に沿って前記口元端部に向かう線状の切れ込み部を有し、
前記テーパー部の肉厚は、前記口元端部に向けて変動しながら減少するように設定される、ことを特徴とする電線用カバー。
【請求項２】
請求項１に記載の電線用カバーにおいて、
前記テーパー部の肉厚は、前記口元部に向けて次第にまたは段階的に小さくなるように設定される、ことを特徴とする電線用カバー。
【請求項３】
請求項１または２に記載の電線用カバーにおいて、
前記切れ込み部の始点の位置、および、前記テーパー部の肉厚は、配置される前記電線に合わせて設定される、ことを特徴とする電線用カバー。
【請求項４】
請求項１〜３いずれかに記載の電線用カバーにおいて、
前記テーパー部および口元部の肉厚は、前記口元端部直前の区間を最も薄くして構成する、ことを特徴とする電線用カバー。
【請求項５】
カバーと電線の取り付け構造であって、
前記カバーとして、請求項１−４いずれかに記載の電線用カバーを適用し、
前記電線は、径が異なる複数の電線の中から一本が選択され、
前記電線の中にカバーを配置したとき、前記電線の外面に前記カバーの口元部が密着されるように構成される、ことを特徴とするカバーと電線の取り付け構造。
【請求項６】
請求項５に記載のカバーと電線の取り付け構造において、
前記電線は、外面から突起したヒレ部を有する、ことを特徴とする電線用カバー。
【発明の詳細な説明】
【技術分野】
【０００１】
本発明は、電線用のカバーに係り、より詳細には、電力を供給するための架空高圧配電線路において、電線路の高圧充電部が露出した部分などを覆って修復または補修を行うための絶縁カバーや、電線を直線スリーブによって圧縮接続した箇所を絶縁防護するための絶縁カバーなどのような電線用のカバーの構造に関するものである。
【背景技術】
【０００２】
図３(１)(２)は、従来から用いられている電線用カバーの例として、電線用カバー１００を示す図であり、図３（１）は、円筒形状で二つ割の電線用カバー１００を、天地（上下）方向に開いてその内側(前面)から見た外観図であり、また図２(２)は、図２(１)を外側(背面)から見た外観図である。
【０００３】
図３のカバー１００は、閉じたときに電線がその内部に挿通して配置されるような円筒状の形状をなして、電線長手方向に直交する断面が円形であり、その円形の断面を電線の中心軸を通る面で二つ割にした半円形断面状の第１カバー本体部１０と、同じく半円形断面状の第２カバー本体部２０とを備えている。
また、このカバー１００の第１カバー本体１０と第２カバー本体２０との境界には、可撓性があって曲げ戻し自在で開閉自在のヒンジ部(連結部)３０が、電線長手方向に添って直線状に形成されている。
【０００４】
そして、第１カバー本体１０には合わせ部１４が、第２カバー本体２０には合わせ部２４があり、それぞれが合わせられたときに合致する位置で、係合または係止(当接)する形状に形成されていて、第１カバー本体１０と第２カバー本体２０とがヒンジ部３０を軸として開閉するとき、それぞれの合わせ部１４と合わせ部２４との両面において、開閉動作に伴う閉状態(係合、係止または当接)と開状態(離脱)とが自在となっている。
【０００５】
この第１カバー本体１０は、両端にあって電線を挿通(挿出入)するための半円形の開口端部(１３ａと１３ｂ)と、断面円形の径が均一で断面形状が変化しないカバー主部１１と、カバー主部１１から端部に向かって断面円形の径が徐々に縮小されるテーパー部(１２ａ,１２ｂ)とを備え、全体としては「開口端部１３ａ−テーパー部１２ａ−主部１１−テーパー部１２ｂ−開口端部１３ｂ」の構成となっている。
また、第２カバー本体２０も第１カバー１０と同様であり、「開口端部２３ａ−テーパー部２２ａ−主部２１−テーパー部２２ｂ−開口端部２３ｂ」の構成である。
【０００６】
そして、第１カバー本体１０の合わせ部１４には、その端辺１４ｔから外周側に突出して、係止ホック部(１５ａ,１５ｂ,１５ｃ)が設けられており、また、第２カバー本体２０の側には、第１カバー本体１０の側の係止ホック部(１５ａ,１５ｂ,１５ｃ)の位置に合わせて、ホック受入部(２５ａ−２５ｂ−２５ｃ)が設けられている。
これにより、第１カバー本体１０と第２カバー本体２０とが閉じられたときには、「係止ホック部１５ａ−ホック受入部２５ａ」「係止ホック部１５ｂ−ホック受入部２５ｂ」「係止ホック部１５ｃ−ホック受入部２５ｃ」の部位において相互に係止または係合されて、電線用カバー１００が閉じた状態で保持できる構造となっている。
【０００７】
上の構成を備えるカバー１００は、第１カバー本体１０と第２カバー本体２０とが、ヒンジ部３０をヒンジ軸または蝶番軸として開閉自在の構造となり、半筒形状の第１カバー本体部１０の合わせ部１４とおなじく半筒形状の第２カバー本体部２０の合わせ部２４とを閉じて合わせることにより、断面円形の円筒状の立体構造とすることができ、カバー１００の内部に電線を配置または挿通して、カバー１００を電線に被せて保持した状態にして、電線上にカバー１００の固定することができる。
【０００８】
図４は、カバー１００を電線Ｄ１に被せて固定した状態を示す外観斜視図である。
ここでの電線Ｄ１は絶縁被覆電線であり、すでに鉄塔や電柱などの支持物間に張架されており、カバー１００は、例えば、その電線Ｄ１の所定箇所の絶縁被覆を剥がしたときに、その箇所を補修するのに用いられる。
カバー１００の取り付け作業の手順は簡単であり、カバー１００の開閉部ＫＨを開けて、電線Ｄ１の所定箇所に被せ、カバー１００の開閉部ＫＨを閉じて、係止ホック部をホック受入部に止めれば、カバー１００を電線Ｄ１に取り付けて固定させることができる。
【０００９】
本発明の電線用カバーの技術分野に係わる文献として、特許文献１には、「架空絶縁銅電線内の水抜き効果にすぐれ、既設及び新設の接続部への取り付けが可能であり、絶縁カバーの固定を目的としたテーピングの省略が可能であり、間接活線工事による取り付けが可能であり、低コストを可能とする絶縁電線直線接続部の絶縁カバー」が記載されており、また、特許文献２には、「取付けが容易で、しかも手作業による補修作業は勿論、ホットスティック工具等による活線個所への施工も容易となる電線補修用カバー」が記載されている。
【先行技術文献】
【特許文献】
【００１０】
【特許文献１】特開２０００−２７８８５４号公報（旭電機）
【特許文献２】特開平０９−１２１４１７号公報（ＪＲ東日本、旭電機）
【発明の概要】
【発明が解決しようとする課題】
【００１１】
図３に示した電線用カバー１００は、第１カバー本体１０と第２カバー本体２０とが、ヒンジ部３０を介して開閉自在であり、係止ホック部(１５ａ,１５ｂ,１５ｃ)を用いて第１カバー本体１０と第２カバー本体２０とを留めるタイプであり、これは「ひんじホック止め構造」と呼ぶことができる。
この「ひんじホック止め構造」の電線用カバー１００は、電線径が大小に異なる複数のサイズの電線を、一つのカバーで兼用して用いられるように設計されることがある。
【００１２】
図５は、図３の電線用カバー１００と同様の電線用カバー４００において、その端部の側の構造を説明するための図である。
電線用カバー４００は、この第１カバー本体４０と第２カバー本体５０とがヒンジ部６０を介して開閉自在に結合された構成であり、図３の電線用カバー１００と均等な構造を備えているので、全体図の図示については省略する。
【００１３】
電線用カバー４００において、第１カバー本体４０は、両端にあって電線を配置または挿通(挿出入)するための半円形の開口端部(４３ａと４３ｂ)と、断面円形の径が均一で断面形状が変化しないカバー主部４１と、カバー主部４１から端部に向かって断面円形の径が徐々に縮小されるテーパー部(４２ａ,４２ｂ)とを備え、全体としては「開口端部４３ａ−テーパー部４２ａ−主部４１−テーパー部４２ｂ−開口端部４３ｂ」の構成であり、また、第２カバー本体５０も第１カバー４０と同様であり、「開口端部５３ａ−テーパー部５２ａ−主部５１−テーパー部５２ｂ−開口端部５３ｂ」の構成である。
【００１４】
図５(１)は、電線用カバー４００の第１カバー本体４０の左側端部付近を断面によって示す構造説明図であり、図５(２)は、電線用カバー４００に電線を挿入したときの状態を示し、また図５(３)は、図５(２)の説明図である。
この電線用カバー４００を電線Ｄ２に取り付けたときには、電線用カバー４００の少なくとも、第１カバー本体４０の開口端部４３ａと第２カバー本体５０の開口端部５３ａにおいて、電線Ｄ２に隙間なく密着させることが望まれる。
【００１５】
そこで、図５(１)に示す電線用カバー４００において、第１カバー本体４０のテーパー部４２ａの構造に着目するに、テーパー部４２ａの肉厚ｔ１は、テーパー部４２ａから開口端部４３ａに到るまで、ほぼ一定に形成されていて、第１カバー本体４０のテーパー部４２ａは勿論、先端の開口端部４３ａにおいても、その断面形状は容易に変形し難い構造となっている。
【００１６】
そして、図５(２)を参照して、電線Ｄ２に電線用カバー４００を取り付けるにあたっては、第１カバー本体４０の開口端部４３ａの断面半円形(半径ｒ１)の形状は、電線Ｄ２が１種類(サイズ)とすれば、その電線Ｄ２の電線半径(ｄ３)に断面形状に合わせて設計すればよいが、電線Ｄ２が複数の電線径(サイズ)に適用させる場合には、複数の種類(サイズ)の平均的な電線径を、開口端部４３ａの半径ｒ１として設定することとなる。
【００１７】
したがって、電線Ｄ２が、開口端部４３ａの半径ｒ１よりも大きい電線径(ｄ４)を有する場合には、開口端部４３ａには電線Ｄ２に被せることができずに、図５(２)と図５(３)に示すように、開口端部４３ａが浮き上がってしまって、隙間なく密着させることができなくなる。
また、電線Ｄ２が、開口端部４３ａの半径ｒ１よりも小さい電線径(ｄ５)を有する場合には、開口端部４３ａを電線Ｄ２に被せることはできるものの、開口端部４３ａと電線Ｄとの間に隙間が生じ、密着させることができなくなる。
【００１８】
このように、従来の電線用カバーを電線に被せて嵌め合わせるとき、開口端部４３ａ(口元部)の肉厚が一定であって、しかも変形が容易ではない材質であれば、サイズ(電線径)の異なる電線に適用したときに、開口端部４３ａ(口元部)が電線に対して密着せずに、取り付け時に隙間が生じてしまうという問題点があり、防護管通過作業時にはカバーの口元での引っ掛かりが発生したり、作業が困難になったりするという不具合を生じていた。
【００１９】
本願発明は、上記の問題点を解決するためになされたものであり、複数のサイズの電線径を有する電線に対して、１つの電線用カバーを用いる対応するにあたり、サイズの異なる電線であっても、開口端部４３ａ(口元部)が電線に対して密着して、隙間が生じてしまうことのない電線用カバーを提供することを、その目的としている。
【課題を解決するための手段】
【００２０】
（１）（電線用カバー）
電線を全周方向から覆う円筒状のカバーであって、
円筒状の本体部と、外径が減少しながら前記カバー本体に接続するテーパー部と、前記テーパー部に接続する口元部と、前記口元部の最端に開口する口元端部と、前記電線の長手方向に添って前記カバー本体の開閉を自在にする開閉部と、を有するカバー本体と、
前記テーパー部および口元部は、配置される電線の長手方向に沿って前記口元端部に向かう線状の切れ込み部を有し、
前記テーパー部の肉厚は、前記口元端部に向けて変動しながら減少するように設定される、ことを特徴とする電線用カバー。
【００２１】
（２）(１)の電線用カバーにおいて、
前記テーパー部の肉厚は、前記口元端部に向けて次第にまたは段階的に小さくなるように設定される。
（３）(１)または(２)の電線用カバーにおいて、
前記テーパー部の切れ込み部の始点の位置、および、前記テーパー部の肉厚は、配置される前記電線の径に合わせて設定される。
（４）(１)〜(３)いずれかの電線用カバーにおいて、
前記テーパー部の肉厚は、前記口元部の直前の所定区間を最も薄くして構成する。
【００２２】
（５）カバーと電線の取り付け構造であって、
前記カバーとして、請求項１−４いずれかに記載の電線用カバーを適用し、
前記電線は、径が異なる複数の電線の中から一本が選択され、
前記電線の中にカバーを配置したとき、前記電線の外面に前記カバーの口元端部が密着されるように構成される、ことを特徴とするカバーと電線の取り付け構造。
（６）(５)のカバーと電線の取り付け構造において、
前記電線は、外面から突起したヒレ部を有する。
【発明の効果】
【００２３】
本発明の電線用カバーによれば、電線が複数のサイズであっても、各電線サイズを合わせて、カバーの口元部が確実に電線に密着できるようになり、電線とカバーに隙間が出来ず、防護管通過時に引っ掛かりが発生せず、安定して通過させることが出来、現場据え付け施工性に優れた絶縁カバーの構造を提供することができる。
【図面の簡単な説明】
【００２４】
【図１】本発明の一実施形態に係る電線用カバーを示す図であり、図１(１)は、電線用カバー６００の第１カバー本体６０の左側部分を示す断面による構造図であり、図１(２)は、電線用カバー７００の第１カバー本体７０の左側部分を示す断面による構造図である。
【図２】本発明の一実施形態に係る電線用カバーを示す図であり、図２(１)は、電線用カバー８００を電線Ｄ３取り付けた状態を示し、図２(２)は、電線用カバー９００を径がより大きくてヒレ部ｈ１を有する電線Ｄ４に取り付けた状態を示す図である。
【図３】従来の電線用カバー１００の構造を示す図である。
【図４】電線用カバー１００を電線Ｄ１に取り付けた状態を示す図である。
【図５】図５(１)は、従来の電線用カバー４００の第１カバー本体４０の左側部分を示す断面による構造図であり、図５(２)は、電線用カバー４００に電線を挿入したときの状態を示す図であり、また図５(３)は、図５(２)の説明図である。
【発明を実施するための形態】
【００２５】
さて、図１および図２を用いて、本発明による電線用カバーの実施の形態について詳細に説明する。
図１(１)は、電線用カバー６００の部分図として、第１カバー本体６０の左側部分を示す断面による構造説明図であり、
第１カバー本体６０は、外径が最も太くて概略一定の本体部６１から、外径および内径が徐々に減少し、テーパーを有するテーパー部６２を経由して、さらに外径および内径がまた徐々に減少する口元部６３の口元端部６３ｋへと続く構造をなしている。
【００２６】
そして、第１カバー本体６０の「本体部６１−テーパー部６２−口元部６３」では、その断面形状は図１(１)の下図に示すように円筒断面を半分にした形状で、外径および内径が徐々に減少し、とりわけ、本体部６１とテーパー部６２との境界点p61と、テーパー部６２と口元部６３との境界点p62とにおいて、「肉厚」「外径−内径」「テーパー角度」などの寸法が、漸次小さくなるよう変化する構成としている。
【００２７】
また、各部位の「肉厚」としては、「本体部６１の肉厚t61、テーパー部６２の肉厚t62、口元部６３の肉厚t63」を有するが、肉厚t61はほぼ一定であり、肉厚t62は本体部６１から口元部６３に向けて漸次減少し、テーパー部６２から口元部６３の口元端部６３ｋに向けて、その肉厚t63をほぼ一定または漸次減少とし、口元部６３の肉厚t63を極端に薄くしかも一様とする構成としている。
【００２８】
第１カバー本体６０の「本体部６１−テーパー部６２−口元部６３」のうちの「テーパー部６２−口元部６３」には、図２(１)(２)に記載しているように、電線長手方向への「切り込み部(k1,k2)」を有するようにすれば、そこで切り込み部(k1,k2)に対して略直角方向にカバーを開くことができる。
そこで、電線用カバー６００に切り込み部(k1,k2)を設け、その肉厚を口元端部６３ｋに行くに従って薄厚とし、テーパー部６２と口元部６３とにおいて、外周側の方向に変形容易に構成しておく。すると、電線用カバー６００を電線に取り付けたときには、中に配置される電線の外径に大小の差異があっても、電線用カバー６００の切り込み部(k1,k2)を開くことにより、少なくとも両端にある口元部６３を電線に隙間なく密着させることが可能となる。
【００２９】
図１(１)には、電線用カバー６００に、小さな外径ｄ１の電線と、それより少し大きな外径ｄ２の電線とを、テーパー部６２の中に配置したときの電線外周の位置関係を示しているが、そこから開口端部６３ｋまでの部分は、カバー６００の肉厚や材質の軟硬を調整することにより、中に配置される電線の外周部にカバー６００の内壁部を隙間なく密着させるように設計することができる。なお、ここでのカバーの材料として、軟質のポリエチレンを用いることが好ましい。
【００３０】
次の図１(２)は、電線用カバー７００の部分図として、第１カバー本体７０の左側部分を示す断面による構造説明図である。
第１カバー本体７０は、外径が最も太くてほぼ一定の本体部７１から、外径および内径がほぼ一定の区間を有してはいるもののそれが徐々に減少する、テーパーを有するテーパー部７２を経由して、さらに外径および内径がほぼ一定であるかまたは徐々に減少する端部７３の口元端部７３ｋへと続く構造をなしている。
【００３１】
そして、第１カバー本体７０の「本体部７１−テーパー部７２−端部７３」では、その断面形状は図１(２)の下図に示すように円筒断面を半分にした形状で肉厚が一定に厚くなっている。
【００３２】
第１カバー本体７０の本体部７１では、肉厚t71はほぼ一定であり、境界点p71と境界点p72を境にしてテーパー部７２となる。
このテーパー部７２は、内側の境界点p77から境界点p76までは肉厚t72はほぼ一定であり、内側の境界点p76から境界点p76までは急激に肉厚t72が減少し、内側の境界点p75から境界点p74までは肉厚t72’は漸次減少してゆくが、このとき、外側に境界点p72において、テーパー角度が変化している。そして、端部の側にある口元部７３では肉厚t73はほぼ一定であるかまたは徐々に減少して、開口端部７３ｋへと続いている。
【００３３】
このたびの電線用カバー７００においては、外側の境界点p71、境界点p72、内側の境界点p77、境界点p76、境界点p76、境界点p75、境界点p74において、「肉厚」「外径−内径」「テーパー角度」などの寸法がそれぞれ変化するように構成している。
また、第１カバー本体７０の「本体部７１−テーパー部７２−口元部７３」のうちの「テーパー部７２−口元部７３」には、図２(１)(２)に記載しているように、電線長手方向への「切り込み部(k1,k2)」を有するようにすれば、そこで切り込み部(k1,k2)の略直角方向に電線用カバー７００を開くことができる。
【００３４】
そこで、図１(２)の電線用カバー７００に切り込み部(k1,k2)を設けて、その肉厚を開口端部７３ｋに行くに従って薄厚とし、テーパー部７２と口元部７３とにおいては外側方向に開いて変形容易に構成しておく。
そうすると、電線用カバー７００を電線に取り付けたときには、中に配置される電線の外径に大小の差異があっても、電線用カバー７００の切り込み部(k1,k2)を開くことにより、少なくとも両端にある開口端部７３ｋに隙間なく密着させることが可能となる。
【００３５】
図１(２)には、電線用カバー７００において、小さな外径ｄ１の電線と、それより少し大きな外径ｄ２の電線とを、テーパー部７２の中に配置したときの電線外周の位置関係を示しており、切り込み部(k1,k2)があるテーパー部７２の部位から開口端部７３ｋまでの部分は、カバー７００の肉厚や材質の軟硬を調整することにより、中に配置される電線の外周部にカバー７００の内壁部を隙間なく密着させるように設計することができる。
【００３６】
図２(１)は、電線用カバー８００を被覆電線Ｄ３に取り付けた状態を示す図であり、左図を正面図として、右図はその外観斜視図である。電線用カバー８００は、一体物の「本体部８１−テーパー部８２−口元部８３」を備え、「テーパー部８２−口元部８３」には切り込み部ｋ１が設けられており、中に配置される電線Ｄ３の外周部にカバー８００の内壁部を隙間なく密着させるようにすることができる。
【００３７】
図２(２)は、電線用カバー９００を被覆電線Ｄ４に取り付けた状態を示す図であり、左図を正面図として、右図はその外観斜視図である。電線用カバー９００は、一体物の「本体部９１−テーパー部９２−口元部９３」を備え、「テーパー部９２−口元部９３」には切り込み部ｋ２が設けられている。
そして、被覆電線Ｄ４は、その外面に電線長手方向に添って突出して延設されるヒレ部ｈ１が設けられているものの、電線用カバー８００は口元部９３は薄厚で可撓性があって面への密着性の高い材料からできているので、中に配置される電線Ｄ４を、その外周から突出するヒレ部ｈ１を口元部６３によって覆うことができ、殆ど隙間なく密着させるようにすることができる。
【符号の説明】
【００３８】
６００、７００、８００、９００    電線用カバー
６０、７０    第１カバー本体
６１、７１、８１，９１    本体部
６２、７２、８２、９２    テーパー部
６３、７３、８３、９３    口元部
６３ｋ、７３ｋ    口元端部６３ｋ
ｋ１、ｋ２    切り込み部
Ｔ１、Ｔ２、Ｔ３    カバー内面の突起状部
ｈ１    電線表面のヒレ部 (電線表面の凸状部)
Ｄ３    電線（断面円形）
Ｄ４    ヒレ付き電線
１００、４００  従来の電線用カバー
１０、４０      第１カバー本体部
２０、５０      第２カバー本体部
３０      ヒンジ部
ＫＨ      開閉部
１４      第１カバー本体部の合わせ部
２４      第２カバー本体部の合わせ部
１３ａ、１３ｂ    第１カバー本体部の開口端部
２３ａ、２３ｂ    第２カバー本体部の開口端部
１１      第１カバー本体部のカバー主部
２１      第２カバー本体部のカバー主部
１２ａ、１２ｂ    第１カバー本体部のテーパー部
２２ａ、２２ｂ    第２カバー本体部のテーパー部
１５ａ、１５ｂ、１５ｃ    第１カバー本体部の係止ホック部
２５ａ、２５ｂ、２５ｃ    第２カバー本体部のホック受入部
Ｄ１、Ｄ２    電線
【図１】
0005435466.tif 000002
【図２】
0005435466.tif 000003
【図３】
0005435466.tif 000004
【図４】
0005435466.tif 000005
【図５】
0005435466.tif 000006